【手続補正書】
【提出日】平成17年5月19日(2005.5.19)
【手続補正１】
【補正対象書類名】特許請求の範囲
【補正対象項目名】全文
【補正方法】変更
【補正の内容】
【特許請求の範囲】
【請求項１】
複数種のキーと対応するキーセットを記憶する手段と、キーセットに対応するコンテンツを格納する手段と、マイクロフォンから取り込まれる音声を認識し、認識した音声から設定されているキーを認知する手段と、キーの認知に応じて、該キーの認知対応時刻を記録若しくは更新記録する手段と、キーセットに対応するキーの最先の認知対応時刻から認知設定時間以内に、該キーセットに対応する複数種のキーを認知した場合に、該キーセットを認識する手段と、該認識したキーセットと対応するコンテンツを抽出する手段と、該抽出したコンテンツを再生する手段と、該再生するコンテンツを出力する手段とを備えることを特徴とするコンテンツ提供システム。
【請求項２】
複数種のキーと対応するキーセットを記憶する手段と、キーセットに対応するコンテンツを格納する手段と、マイクロフォンから取り込まれる音声を認識し、認識した音声から設定されているキーを認知する手段と、キーの認知に応じて、該キーの認知対応時刻を記録若しくは更新記録する手段と、キーセットに対応するキーの最先の認知対応時刻から認知設定時間以内に、該キーセットに対応する複数種のキーを認知した場合に、該キーセットを認識する手段と、該認識したキーセットと対応するコンテンツを抽出する手段と、該抽出したコンテンツを再生出力する再生出力装置へ該コンテンツを送信する手段とを備えることを特徴とするコンテンツ提供システム。
【請求項３】
前記キーとして、意味内容が類似する複数のキーワードが設定されていることを特徴とする請求項１又は２記載のコンテンツ提供システム。
【請求項４】
前記キーセットの認識に基づきコンテンツが再生中若しくは送信中であるか否かを認識する手段と、該キーセットの認識時若しくは該コンテンツ再生中の当初認識時若しくは該コンテンツ送信中の当初認識時から設定時間以内にコンテンツの再生終了若しくは送信終了を認識した場合に、該キーセットと対応するコンテンツを再生する若しくは再生出力装置へ送信すると共に、該設定時間以内にコンテンツの再生終了若しくは送信終了を認識しなかった場合に、該キーセットと対応するコンテンツを再生しない若しくは再生出力装置へ送信しない手段とを備えることを特徴とする請求項１〜３の何れかに記載のコンテンツ提供システム。
【請求項５】
前記キーセットの認識に基づきコンテンツが再生中若しくは送信中であるか否かを認識する手段と、コンテンツ再生中若しくは送信中の認識に基づき、次順位に再生若しくは送信するコンテンツのキーセットとして該認識したキーセットを保持すると共に、既に次順位に再生若しくは送信するコンテンツのキーセットの保持が有る場合には、該認識したキーセットに更新して保持する手段と、コンテンツの再生終了若しくは送信終了の認識に基づき、該保持しているキーセットと対応するコンテンツを再生する若しくは再生出力装置へ送信する手段とを備えることを特徴とする請求項１〜４の何れかに記載のコンテンツ提供システム。
【請求項６】
前記コンテンツを再生する手段及び出力する手段若しくは再生出力装置を公共スペースに設置し、前記コンテンツとして広告情報を格納することを特徴とする請求項１〜５の何れかに記載のコンテンツ提供システム。
【請求項７】
所定のキーセットと対応するコンテンツの再生完了若しくは送信完了に基づき、該所定のキーセットと対応する次順位のコンテンツの再生若しくは送信を設定し、該所定のキーセットの認識に基づき、設定された次順位のコンテンツを抽出して再生若しくは送信することを特徴とする請求項１〜６の何れかに記載のコンテンツ提供システム。
【手続補正２】
【補正対象書類名】明細書
【補正対象項目名】０００８
【補正方法】変更
【補正の内容】
【０００８】
本発明のコンテンツ提供システムは、複数種のキーと対応するキーセットを記憶する手段と、キーセットに対応するコンテンツを格納する手段と、マイクロフォンから取り込まれる音声を認識し、認識した音声から設定されているキーを認知する手段と、キーの認知に応じて、該キーの認知対応時刻を記録若しくは更新記録する手段と、キーセットに対応するキーの最先の認知対応時刻から認知設定時間以内に、該キーセットに対応する複数種のキーを認知した場合に、該キーセットを認識する手段と、該認識したキーセットと対応するコンテンツを抽出する手段と、該抽出したコンテンツを再生する手段と、該再生するコンテンツを出力する手段とを備えることを特徴とする。尚、コンテンツを出力する手段は、ディスプレイ若しくはスピーカ若しくはその両者等とすることが可能であり、前記出力手段に対応して再生される画像若しくは音声若しくはその両者等のコンテンツをコンテンツデータベースに設定する。
【手続補正３】
【補正対象書類名】明細書
【補正対象項目名】０００９
【補正方法】変更
【補正の内容】
【０００９】
また、本発明のコンテンツ提供システムは、複数種のキーと対応するキーセットを記憶する手段と、キーセットに対応するコンテンツを格納する手段と、マイクロフォンから取り込まれる音声を認識し、認識した音声から設定されているキーを認知する手段と、キーの認知に応じて、該キーの認知対応時刻を記録若しくは更新記録する手段と、キーセットに対応するキーの最先の認知対応時刻から認知設定時間以内に、該キーセットに対応する複数種のキーを認知した場合に、該キーセットを認識する手段と、該認識したキーセットと対応するコンテンツを抽出する手段と、該抽出したコンテンツを再生出力する再生出力装置へ該コンテンツを送信する手段とを備えることを特徴とする。
【手続補正４】
【補正対象書類名】明細書
【補正対象項目名】００１１
【補正方法】変更
【補正の内容】
【００１１】
更に、本発明のコンテンツ提供システムは、所定のキーセットと対応するコンテンツの再生完了若しくは送信完了に基づき、該所定のキーセットと対応する次順位のコンテンツの再生若しくは送信を設定し、該所定のキーセットの認識に基づき、設定された次順位のコンテンツを抽出して再生若しくは送信することを特徴とする。また、現在時刻から認知設定時間が経過した認知対応時刻の記録を消去する手段を備える構成としてもよい。現在時刻から認知設定時間が経過した認知対応時刻の記録を消去することにより、ハードウェアリソースを有効利用することができると共に、キーセットに属する各キーワードや各キーの認知に応じて、或いは認知対応時刻の記録に応じて、特段の後処理を要せず自動的に、コンテンツを呼び出すキーセットを認識することができる。
【手続補正５】
【補正対象書類名】明細書
【補正対象項目名】００１２
【補正方法】変更
【補正の内容】
【００１２】
更に、本発明のコンテンツ提供システムは、前記キーとして、意味内容が類似する複数のキーワードが設定されていることを特徴とする。尚、キーセットと対応する複数種の異なるキーワード若しくはキーは、２種以上の複数であれば３種、４種、５種、６種など適宜であるが、３種以上とすると、より正確に話題を特定し、話題に適合したコンテンツを提供することが可能となって好適である。また、キーセットと対応するキーワード若しくはキーは各キーセットに対して同数設定してもよいが、ターゲットとする話題の特定と提供するコンテンツの内容のバランスや、キーセットに対応設定するキーワードの出現する可能性等に応じて、キーセット毎に適宜所要数のキーワード若しくはキーを設定してもよい。
【手続補正６】
【補正対象書類名】明細書
【補正対象項目名】００１３
【補正方法】変更
【補正の内容】
【００１３】
尚、キーやキーワードの認知では、ワードスポティング技術により、取り込まれる音声を認識し、認識した音声から設定されているキーワードを認知する手段が該設定されているキーワードだけを認知するとよい。ワードスポッティング音声認識技術を用い、設定されているキーワードだけを認知することにより、速い応答速度でリアルタイムにコンテンツを提供できると共に、システムを一層低コスト化することができ、又、予め決まったキーワード以外は認知しないことから、音声を取り込まれる話者のプライバシー保護を図ることが可能である。
【手続補正７】
【補正対象書類名】明細書
【補正対象項目名】００１４
【補正方法】変更
【補正の内容】
【００１４】
更に、本発明のコンテンツ提供システムは、前記キーセットの認識に基づきコンテンツが再生中若しくは送信中であるか否かを認識する手段と、該キーセットの認識時若しくは該コンテンツ再生中の当初認識時若しくは該コンテンツ送信中の当初認識時から設定時間以内にコンテンツの再生終了若しくは送信終了を認識した場合に、該キーセットと対応するコンテンツを再生する若しくは再生出力装置へ送信すると共に、該設定時間以内にコンテンツの再生終了若しくは送信終了を認識しなかった場合に、該キーセットと対応するコンテンツを再生しない若しくは再生出力装置へ送信しない手段とを備えることを特徴とする。例えば後に認識したキーセットに対応するコンテンツを再生若しくは送信する際、前に認識したキーセットに対応するコンテンツが再生若しくは送信している場合に、後のキーセットの認識等から設定時間以内に前のコンテンツの再生や送信が終了した場合には後のキーセットのコンテンツを再生若しくは送信し、前記設定時間以内に終了しない場合には後のキーセットのコンテンツを再生若しくは送信しない構成とすることにより、話者の話題や興味が経時的に他へ変化した可能性が高い所定時間経過後にはコンテンツを提供せず、コンテンツ提供時やその直近の話者の話題や興味に即し、対象者が心理的に受け入れやすいコンテンツだけを確実に提供することが可能となる。
【手続補正８】
【補正対象書類名】明細書
【補正対象項目名】００１５
【補正方法】変更
【補正の内容】
【００１５】
更に、本発明のコンテンツ提供システムは、前記キーセットの認識に基づきコンテンツが再生中若しくは送信中であるか否かを認識する手段と、コンテンツ再生中若しくは送信中の認識に基づき、次順位に再生若しくは送信するコンテンツのキーセットとして該認識したキーセットを保持すると共に、既に次順位に再生若しくは送信するコンテンツのキーセットの保持が有る場合には、該認識したキーセットに更新して保持する手段と、コンテンツの再生終了若しくは送信終了の認識に基づき、該保持しているキーセットと対応するコンテンツを再生する若しくは再生出力装置へ送信する手段とを備えることを特徴とする。コンテンツの再生中若しくは送信中に認識したキーセットを順次更新記録し、現在時刻に最も近い最後に認識されたキーセットに対応するコンテンツを提供することにより、簡単な構成で話者の話題や興味の経時的な変化に適応して、コンテンツ提供時やその間近の話者の話題や興味に即し、対象者が心理的に受け入れやすいコンテンツを提供することが可能となり、又、キーセットの認識を更新して記録保持することにより、ハードウェアリソースの有効利用を図ることができる。
【手続補正９】
【補正対象書類名】明細書
【補正対象項目名】００１６
【補正方法】変更
【補正の内容】
【００１６】
また、コンピュータ若しくはネットワークコンピュータで構成され、マイクロフォンから取り込まれる音声を認識し、認識した音声から設定されているキーワードを認知する手段と、複数種のキーワード若しくは該キーワードと対応するキーで構成されるキーセットからキーワードの認知に基づき所定のキーセットを認識する手段と、所定のキーセットの認識に基づきコンテンツが再生中若しくは送信中であるか判定する手段と、該所定のキーセットの認識或いは該コンテンツ再生中若しくは送信中の判定からコンテンツ再生終了若しくは送信終了の認識までの経過時間が設定時間以内である再生終了若しくは送信終了の認識に基づき、該所定のキーセットと対応設定されているコンテンツを再生若しくは再生出力装置へ送信すると共に、該設定時間以内の再生終了若しくは送信終了の認識が得られない場合に、該所定のキーセットと対応設定されているコンテンツの再生若しくは再生出力装置への送信をしない手段とを備える構成としてもよい。
【手続補正１０】
【補正対象書類名】明細書
【補正対象項目名】００１８
【補正方法】変更
【補正の内容】
【００１８】
また、コンピュータ若しくはネットワークコンピュータで構成され、マイクロフォンから取り込まれる音声を認識し、認識した音声から設定されているキーワードを認知する手段と、複数種のキーワード若しくは該キーワードと対応するキーで構成されるキーセットからキーワードの認知に基づき所定のキーセットを認識する手段と、所定のキーセットの認識に基づきコンテンツが再生中若しくは送信中であるか判定する手段と、コンテンツの再生中若しくは送信中の判定に基づき、該所定のキーセットの認識を記録保持すると共に、既に記録保持されているキーセットの認識がある場合には該所定のキーセットの認識に更新して記録保持する手段と、コンテンツの再生終了若しくは送信終了の認識に基づき、該記録保持されている所定のキーセットと対応設定されているコンテンツを再生若しくは再生出力装置へ送信する手段とを備える構成としてもよい。